(57)【要約】【課題】スタック容器の積み重ね易さを確保しつつ、スタック容器の局所的な損傷を抑制するとともに、水平方向におけるスタック容器の整列配置を良好に行うことが可能なスタック容器を提供すること。【解決手段】一枚の板材を折り曲げることで形成され、上下に複数積み重ね可能なスタック容器１０であって、底板２０と、底板２０の縁部から立ち上がり、上側に積み重ねられたスタック容器１０を支持するためのスタック用支持部３３を有した第１側壁部３０と、底板２０の縁部から立ち上がる第２側壁部４０とを有し、第２側壁部４０は、底板２０に対して垂直な垂直板４１と、上方に向けて内側から外側に傾斜し、底板２０および垂直板４１を連接する傾斜連接板４３とを有するスタック容器１０。【選択図】図１
2016034847.tif 000002
【特許請求の範囲】
【請求項１】
一枚の板材を折り曲げることで形成され、上下に複数積み重ね可能なスタック容器であって、
底板と、前記底板の縁部から立ち上がり、上側に積み重ねられたスタック容器を支持するためのスタック用支持部を有した第１側壁部と、前記底板の縁部から立ち上がる第２側壁部とを有し、
前記第２側壁部は、前記底板に対して垂直な垂直板と、上方に向けて内側から外側に傾斜し、前記底板および前記垂直板を連接する傾斜連接板とを有することを特徴とするスタック容器。
【請求項２】
前記第１側壁部は、前記底板を挟んで対向する２つの位置に設けられ、
前記第２側壁部は、前記底板を挟んで対向する他の２つの位置に設けられていることを特徴とする請求項１に記載のスタック容器。
【請求項３】
前記第１側壁部は、前記底板の縁部から上方に向けて立ち上がる外板と、前記外板の内側に対向して配置される内板と、前記外板および前記内板の上端同士を連結する連結板と、前記第２側壁部の前記垂直板に連設されて前記外板の外側に配置されるフラップ片とを有し、
前記第１側壁部の前記フラップ片は、前記連結板より上方に位置する第１位置決め突出部を有し、
前記第２側壁部の前記垂直板は、前記連結板より上方に位置する第２位置決め突出部を有することを特徴とする請求項１または請求項２に記載のスタック容器。
【発明の詳細な説明】
【技術分野】
【０００１】
本発明は、一枚の板材を折り曲げることで形成され、上下に複数積み重ね可能なスタック容器に関し、特に、段ボール等の紙材を折り曲げて形成されるスタック容器に関する。
【背景技術】
【０００２】
従来、一枚の板材を折り曲げることで形成され、上下に複数積み重ね可能なスタック容器として、図５や図６に示すように、底板１２０と、底板１２０の対向する２辺（長辺）から上方に向けて立ち上がり、上側に積み重ねられたスタック容器１１０の底板１２０を支持するためのスタック用支持部１３３を有した第１側壁部１３０と、底板１２０の対向する他の２辺（短辺）から上方に向けて立ち上がる第２側壁部１４０とを有したスタック容器１１０が知られている（例えば、特許文献１参照）。
【０００３】
この特許文献１に記載のスタック容器１１０では、各第１側壁部１３０が、図５に示すように、底板１２０の長辺から立ち上がる外板１３１と、外板１３１の内側に対向して配置される内板１３２と、外板１３１および内板１３２の上端同士を連結する連結板１３３と、側壁板１４１に連設されて外板１３１の外側に配置され、連結板１３３より上方に位置する第１位置決め突出部１３５を有したフラップ片１３４とから構成されている。
【０００４】
また、各第２側壁部１４０は、図５に示すように、底板１２０に対して垂直に底板１２０の短辺から立ち上がる側壁板１４１から構成され、この側壁板１４１は、連結板１３３より上方に位置する第２位置決め突出部１４２をその上端に有している。
【０００５】
そして、この特許文献１に記載のスタック容器１１０では、図５や図６に示すように、連結板１３３の上方において第１位置決め突出部１３５および第２位置決め突出部１４２によって区画された領域１５０が、複数のスタック容器１１０を上下に積み重ねた際に、上側のスタック容器１１０の底部を受容する受容領域１５０として機能し、また、連結板１３３は、複数のスタック容器１１０を上下に積み重ねた際に、上側のスタック容器１１０の底板１２０を支持するスタック用支持部１３３として機能する。
【先行技術文献】
【特許文献】
【０００６】
【特許文献１】実開昭５５−１２９６３０号公報
【発明の概要】
【発明が解決しようとする課題】
【０００７】
ところが、この特許文献１に記載のスタック容器１１０では、外板１３１および側壁板１４１の両方が、底板１２０に対して垂直に設けられており、底板１２０の縦横寸法と受容領域１５０の開口部の縦横寸法とがほぼ同じであるため、スタック容器１１０を積み重ねる際に、下側のスタック容器１１０の受容領域１５０内に、上側のスタック容器１１０の底部を円滑に挿入することが難しいという問題がある。
【０００８】
そこで、受容領域１５０内へのスタック容器１１０の挿入を容易にする１つの案として、図７に示すように、各側壁板１４１を上方に向けて内側から外側に傾斜させて形成することにより、受容領域１５０の開口部の縦寸法よりも底板１２０の縦寸法を小さくすることが考えられる。
【０００９】
しかしながら、底板１２０に対して各側壁板１４１を傾斜させて設けた場合、受容領域１５０内へスタック容器１１０を容易に挿入することはできるものの、以下に記載する別の問題が生じることになる。
【００１０】
すなわち、このようなスタック容器１１０では、図７に示すように、複数のスタック容器１１０を水平方向に縦横に整列配置させる際に、水平方向に隣接するスタック容器１１０間で側壁板１４１同士を接触させ、側壁板１４１をスタック容器１１０間の位置決め面として利用することがある。
【００１１】
ところが、図７に示すように、各側壁板１４１を底板１２０に対してテーパ状に傾斜させた場合、側壁板１４１の上端（第２位置決め突出部１４２）同士が局所的に当たることになるため、特にスタック容器１１０の収容物が青果等の重量物である場合等には、側壁板１４１の上端に過度な力が局所的に掛かって側壁板１４１に損傷が生じることがあり、また、一方の各側壁板１４１の上端が他方の各側壁板１４１の上端に乗り上がり、スタック容器１１０を水平方向に良好に位置決めすることができないことがあるという問題が生じる。
【００１２】
そこで、本発明は、これらの問題点を解決するものであり、スタック容器の積み重ね易さを確保しつつ、スタック容器の局所的な損傷を抑制するとともに、水平方向におけるスタック容器の整列配置を良好に行うことが可能なスタック容器を提供することを目的とするものである。
【課題を解決するための手段】
【００１３】
本発明は、一枚の板材を折り曲げることで形成され、上下に複数積み重ね可能なスタック容器であって、底板と、前記底板の縁部から立ち上がり、上側に積み重ねられたスタック容器を支持するためのスタック用支持部を有した第１側壁部と、前記底板の縁部から立ち上がる第２側壁部とを有し、前記第２側壁部は、前記底板に対して垂直な垂直板と、上方に向けて内側から外側に傾斜し、前記底板および前記垂直板を連接する傾斜連接板とを有することにより、前記課題を解決するものである。
【発明の効果】
【００１４】
本発明によれば、第２側壁部が、底板に対して垂直な垂直板と、上方に向けて内側から外側に傾斜し、底板および垂直板を連接する傾斜連接板とから構成されていることにより、第２側壁部の下部に傾斜連接板を設けることによってスタック容器の積み重ね易さを確保しつつ、複数のスタック容器を水平方向に整列配置する際に、水平方向に隣接するスタック容器間で垂直板同士を面接触させることで、垂直板を水平方向の位置決め面として利用してスタック容器間の位置決めを行うことが可能であるため、第２側壁部の一部同士が局所的に当たることを回避して第２側壁部の局所的な損傷を抑制することができるとともに、一方の第２側壁部が他方の第２側壁部に乗り上がることを回避し、複数のスタック容器を水平方向に良好に整列配置させることができる。
【００１５】
また、底板と垂直板との間に、上方に向けて内側から外側に傾斜する傾斜連接板を形成することにより、青果等の収容物を収容したスタック容器の上に他のスタック容器を積み重ねる際に、上側のスタック容器の底板および垂直板の間の角部が下側のスタック容器に収容された収容物に当ってしまうことを抑制することが可能であるため、青果等の収容物の損傷を防止することができる。
【００１６】
さらに、傾斜連接板が第２側壁部の下部に部分的に形成されていることにより、底板に対する傾斜連接板の傾斜角度を自由に設計することが可能であるため、底板と垂直板との間に形成される角部を鈍角に設計し、底板と垂直板との間の角部が青果等の収容物に当たった場合であっても、青果等の収容物の損傷を小さく抑えることができる。
すなわち、第２側壁部を構成する側壁板全体を底板に対して傾斜させる場合には、底板に対する側壁板の傾斜角度の設計がスタック容器の上部に形成された受容領域の開口部の大きさ等にも影響を及ぼすことになるため、側壁板の傾斜角度の設計に制限が加わるが、本発明では、傾斜連接板が第２側壁部の下部に部分的に形成されているため、傾斜連接板の傾斜角度の設計が受容領域の開口部の大きさ等に影響を及ぼすことがなく、底板に対する傾斜連接板の傾斜角度を自由に設計することができる。
【図面の簡単な説明】
【００１７】
【図１】本発明の一実施形態であるスタック容器を示す斜視図。
【図２】スタック容器を上下に積み重ねた状態を示す斜視図。
【図３】スタック容器を展開した状態を示す平面図。
【図４】スタック容器を２段に積み重ね、水平方向の縦横に整列配置した状態を示す説明図。
【図５】従来のスタック容器を示す斜視図。
【図６】従来のスタック容器を上下に積み重ねた状態を示す斜視図。
【図７】参考例のスタック容器を２段に積み重ね、水平方向の縦横に整列配置した状態を示す説明図。
【発明を実施するための形態】
【００１８】
以下に、本発明の一実施形態に係るスタック容器１０について、図１〜図４に基づいて説明する。
【００１９】
まず、スタック容器１０は、一枚の板状の段ボールを折り曲げることで形成され、図２に示すように、上下に複数積み重ねることが可能なものであり、図１に示すように、矩形状の底板２０と、底板２０の対向する２辺（長辺）から上方に向けて立ち上がる第１側壁部３０と、底板２０の対向する他の２辺（短辺）から上方に向けて立ち上がる第２側壁部４０とから構成されている。スタック容器１０の上部は開口している。
【００２０】
以下に、スタック容器１０の各構成要素について、詳細に説明する。
【００２１】
まず、第１側壁部３０は、図１や図３に示すように、底板２０の長辺から立ち上がる外板３１と、外板３１の内側に対向して配置される内板３２と、外板３１および内板３２の上端同士を連結する連結板３３と、後述する第２側壁部４０の垂直板４１に連設されて外板３１の外側に配置され、連結板３３より上方に位置する第１位置決め突出部３５を有したフラップ片３４とから構成されている。
【００２２】
外板３１の内側面と内板３２の外側面とは互いに接着され、また、フラップ片３４は外板３１の外側面に接着されている。なお、本実施形態では、上述したように、各板同士を接着することにより、スタック容器１０を構築しているが、スタック容器１０の具体的態様はこれに限定されず、図５に示す従来のスタック容器１１０のように、各板の切れ目に差し込み片を差し込む組立式に構成してもよい。
【００２３】
また、第２側壁部４０は、図１や図３に示すように、底板２０に対して垂直な垂直板４１と、底板２０の短辺および垂直板４１の下端を連接する傾斜連接板４３とから構成されている。垂直板４１は、連結板３３より上方に位置する第２位置決め突出部４２をその上端に有している。また、傾斜連接板４３は、上方に向けて内側から外側に傾斜するように形成され、換言すると、底板２０を挟んで対向する２つの傾斜連接板４３は、上方に向けて間隔が広がるようにテーパ状に形成されている。
【００２４】
そして、スタック容器１０では、図１に示すように、連結板３３の上方において第１位置決め突出部３５および第２位置決め突出部４２によって区画された領域５０が、複数のスタック容器１０を上下に積み重ねた際に、上側のスタック容器１０の底部を受容する受容領域５０として機能し、また、連結板３３は、複数のスタック容器１０を上下に積み重ねた際に、上側のスタック容器１０の底板２０を支持するスタック用支持部３３として機能する。
【００２５】
また、図３に示す符号Ａは、段ボールの目方向（中空が流れている方向）を示しており、本実施形態では、スタック用支持部３３の強度を確保するために、段ボールの目方向が第１側壁部３０の上下方向に沿って延びるように構成されている。
【００２６】
このようにして得られた本実施形態のスタック容器１０では、第２側壁部４０が底板２０に対して垂直な垂直板４１と、底板２０および垂直板４１を連接する傾斜連接板４３とから構成されていることにより、底板２０の縦寸法が受容領域５０の開口部の縦寸法よりも小さくなるため、下側のスタック容器１０の受容領域５０内に対する上側のスタック容器１０の挿入を容易にし、スタック容器１０の積み重ね易さを確保することができる。
【００２７】
また、第２側壁部４０に垂直板４１を形成することにより、図４に示すように、複数のスタック容器１０を水平方向に整列配置する際に、水平方向に隣接するスタック容器１０間で垂直板４１同士を面接触させることで、垂直板４１を水平方向の位置決め面として利用してスタック容器１０間の位置決めを行うことが可能であるため、第２側壁部４０の一部同士が局所的に当たることを回避して第２側壁部４０の局所的な損傷を抑制することができるとともに、一方の第２側壁部４０が他方の第２側壁部４０に乗り上がることを回避し、複数のスタック容器１０を水平方向に良好に整列配置させることができる。
【００２８】
また、底板２０と垂直板４１との間に、上方に向けて内側から外側に傾斜する傾斜連接板４３を形成することにより、青果等の収容物を収容したスタック容器１０の上に他のスタック容器１０を積み重ねる際に、上側のスタック容器１０の底板２０および垂直板４１の間の角部が下側のスタック容器１０に収容された収容物に当ってしまうことを抑制することが可能であるため、青果等の収容物の損傷を防止することができる。
【００２９】
また、傾斜連接板４３が第２側壁部４０の下部に部分的に形成されていることにより、底板２０に対する傾斜連接板４３の傾斜角度を自由に設計することが可能であるため、底板２０と垂直板４１との間に形成される角部を鈍角に設計し、底板２０と垂直板４１との間に形成される角部が青果等の収容物に当たった場合であっても、青果等の収容物の損傷を小さく抑えることができる。
すなわち、図７に示す参考例のスタック容器１１０のように、第２側壁部１４０を構成する側壁板１４１全体を底板１２０に対して傾斜させる場合には、底板１２０に対する側壁板１４１の傾斜角度の設計が受容領域１５０の開口部の大きさ等にも影響を及ぼすことになるため、側壁板１４１の傾斜角度の設計に制限が加わるが、本実施形態のスタック容器１０では、傾斜連接板４３が第２側壁部４０の下部に部分的に形成されているため、傾斜連接板４３の傾斜角度の設計が受容領域５０の開口の大きさ等に影響を及ぼすことがなく、底板２０に対する傾斜連接板４３の傾斜角度を自由に設計することができる。
【００３０】
以上、本発明の実施形態を詳述したが、本発明は上記実施形態に限定されるものではなく、特許請求の範囲に記載された本発明を逸脱することなく種々の設計変更を行なうことが可能である。
【００３１】
例えば、上述した実施形態では、スタック容器が段ボールから形成されているものとして説明したが、スタック容器の具体的な材料は、一枚の板材であれば如何なるものでもよい。
また、上述した実施形態では、底板が矩形状であるものとして説明したが、底板の具体的形状は、八角形等の多角形等の如何なるものでもよく、また、例えば底板を八角形状に形成した場合には、スタック用支持部を有した第１側壁部や垂直板および傾斜連接板を有した第２側壁部を含む８つの側壁部を設ければよい。
また、上述した実施形態では、第１側壁部および第２側壁部が２つずつ設けられているものとして説明したが、第１側壁部および第２側壁部の数量については少なくとも１つずつ設けられていればよい。
また、上述した実施形態では、底板を挟んで対向する２つの位置に第１側壁部が設けられるとともに、底板を挟んで対向する２つの位置に第２側壁部が設けられているものとして説明したが、第１側壁部および第２側壁部の具体的な形成位置についてもこれに限定されない。
また、上述した実施形態では、底板の長辺に第１側壁部が形成され、底板の短辺に第２側壁部が形成されているものとして説明したが、反対に、底板の長辺に第２側壁部を形成し、底板の短辺に第１側壁部を形成してもよい。
また、上述した実施形態では、上側に積み重ねられたスタック容器を支持するためのスタック用支持部が、第１側壁部の外板および内板の上端同士を連結する連結板から構成されているものとして説明したが、スタック用支持部の具体的態様は、これに限定されず、上側に積み重ねられたスタック容器の底板等を支持するものであれば如何なるものでもよい。
また、上述した実施形態では、スタック用支持部によるスタック容器の支持強度を確保するために、第１側壁部には第２側壁部のような傾斜連接板（テーパ部）を形成していないが、第１側壁部の下部にも傾斜連接板（テーパ部）を形成しても何ら構わない。
【符号の説明】
【００３２】
１０、１１０  ・・・  スタック容器
２０、１２０  ・・・  底板
３０、１３０  ・・・  第１側壁部
３１、１３１  ・・・  外板
３２、１３２  ・・・  内板
３３、１３３  ・・・  連結板（スタック用支持部）
３４、１３４  ・・・  フラップ片
３５、１３５  ・・・  第１位置決め突出部
４０、１４０  ・・・  第２側壁部
４１、１４１  ・・・  垂直板（側壁板）
４２、１４２  ・・・  第２位置決め突出部
４３          ・・・  傾斜連接板
５０、１５０  ・・・  受容領域
【図１】
2016034847.tif 000003
【図２】
2016034847.tif 000004
【図３】
2016034847.tif 000005
【図４】
2016034847.tif 000006
【図５】
2016034847.tif 000007
【図６】
2016034847.tif 000008
【図７】
2016034847.tif 000009